(57)【特許請求の範囲】
【請求項１】
２等辺３角形形状のプラスチック製の板の２等辺に挟まれた頂点と該頂点に対向する辺の中心とを結ぶ中心線を中心とし、前記中心線部分に可倒式ポールの脚部を嵌入することが可能な大きさにＷ字型に折り曲げた形状を有し、前記頂点に対向する辺の両端が斜めに切り落とされた形状を有するスキー競技用可倒式ポール用抜け止め具。
【請求項２】
前記頂点に対向する辺の中央にストラップ輪が設けられている請求項１記載のスキー競技用可倒式ポール用抜け止め具。
【請求項３】
前記ストラップ輪内側に面ファスナーが設けられている請求項２記載のスキー競技用可倒式ポール用抜け止め具。
【発明の詳細な説明】
【０００１】
【産業上の利用分野】
アルペン競技スキーで用いられる可倒式ポールの補助具、特に可倒式ポールが雪面から逸脱あるいは所定の設置位置から逸脱することを防止する可倒式ポール用抜け止め具に係る。
【０００２】
【従来の技術】
アルペン競技スキーにおいては、滑走コースを規定するために赤及び青の２色のポールあるいは赤及び青の２色のポールと旗が使用され、競技参加者はレースにおいて赤いポール同士の間あるいは青いポール同士の間を両足のスキーを通過させることが要求される。
【０００３】
従来の非可倒式ポールを使用した場合にはポールへの接触が大きな滑走速度低下をもたらすため、ポールへの接触を最小にするようにポールから少し離れた位置を滑走していたが、可倒式ポールへの接触はさほど大きな滑走速度低下をもたらさないため、可倒式ポールの普及に伴いポールへの接触を無視してポールのできるだけ近くを滑走しており、レースの高速化が図られている。
【０００４】
その結果、選手は可倒式ポールを薙ぎ倒すようにして滑走するのが一般的な滑走技術となっており、可倒式ポールは選手の通過に従って可倒部分が接続部を支点として選手の進行方向である斜面下方向あるいは左右方向に大きく揺動される。
図１で可倒式ポールの設置状態を説明する。
可倒式ポール１９は直径３cm長さ１.９mの円柱状の外形を有しており、ポール本体２０，脚部２２及びポール本体２０と脚部２２とを接続する接続部２１から構成されている。ポール本体２０はポリカーボネート製であり外面に赤あるいは青の着色がなされている。プラスチック製である脚部２２の外面にはスクリュー２３が形成されている。ポール本体２０の内部にはバネ材が収納されておりこのバネ材に１端が固定され他端が脚部２２に固定された条材によってポール本体２０と脚部２２が接続部２１で折り曲げ可能に接続されている。
【０００５】
このような構成を有する可倒式ポール１９は、図１（ａ）に示したように傾斜した雪面２４に形成された埋設穴２５にスクリュー２３を利用して脚部２２を鉛直に捻じ込むことにより埋設して設置される。
このように設置された可倒式ポール１９に対して競技者が競技斜面の上部から下部に向かって矢印２６の方向、図１（ａ）の場合には左上方向から右下方向に滑走するのであるが、前に説明したように競技者が可倒式ポールの近くを通過するときに可倒式ポールに接触し、可倒式ポール１９は図１（ｂ）に示されたように可倒式ポール本体２０が接続部２１を支点として脚部２２から薙ぎ倒される。このとき、ポール本体２０にかかった力はポール本体２０が薙ぎ倒されるまでに脚部２２にも伝えられるために、脚部２２が埋設穴２５内で揺動し、その結果埋設穴２５が２７で示されるように大きくなり、最終的には可倒式ポール１９が本来の設置位置から逸脱してしまうことがある。
【０００６】
このような、可倒式ポールの設置位置からの逸脱を防止するために、従来は楔が使用されている。
従来使用されている楔の例を図２に示す。図２（ａ）及び（ｂ）に示すのは楔２８の斜視図であり、（ａ）に全面を（ｂ）に背面を示す。また、同（ｃ）に図２（ａ）に示されたのと同様な使用状況を示す。
楔２８は長さ２２cm，幅５cm，最大厚さ４cm，最小厚さ２cmであり、直方体の１つの面を傾斜面とした截頭４角錐形状とされている。直方体の１面であり（ａ）に示された前面２９には楔２８の長さ方向に可倒式ポール１９の脚部２２が嵌合する凹部３０が形成されており、（ｂ）に示された背面３１は傾斜面とされている。
【０００７】
この楔２８は（ｃ）に示されたようにその前面の凹部３０に可倒式ポール１９の脚部２２が嵌合するようにし、可倒式ポール１９の脚部２２が埋設された位置の斜面下側に埋設されて使用される。
この楔２８の使用により、可倒式ポール１９の設置位置からの逸脱はある程度防止される。
しかしながら、楔２８の前面２９及び背面３１の面積は脚部２２よりもわずかに広くされているにすぎないため、可倒式ポール１９の本来の設置位置からの逸脱を完全に防止することはできない。
【０００８】
このような状況に対処するために、楔を棒状体から厚板状体としたものがある。この楔を使用した場合には楔の前面及び背面の面積を充分に確保することができるため、可倒式ポール１の設置位置からの逸脱はかなりの程度防止される。
しかしながら、多くの場合競技者の通過する経路は斜面の最大傾斜線に沿うのではなく、最大傾斜線と交叉している。そのため、競技者が接触した場合に可倒式ポール１に働く力は最大傾斜線と交叉したものとなる。したがって、可倒式ポール１に対して働く力は最大傾斜線に沿う分力と、最大傾斜線と直行する水平方向の分力との合成力である。
厚板状体の楔はこの水平方向の分力に対する対策を講じていないため、競技者が斜め方向から可倒式ポール１９に接触した場合には棒状の楔２８の場合と同様に可倒式ポール１９は埋設穴２５から容易に逸脱してしまう。
【０００９】
【発明の概要】
本発明はこのような状況に鑑みてなされたものであり、アルペン競技中における選手の可倒式ポールへの接触により可倒式ポールが設置位置から逸脱することを十分に防止することができる可倒式ポール用抜け止め具を提供することを目的とする。
【００１０】
この目的を達成するために、本出願においては、下端部が鋭角である左右対称型の板状部材を鉛直軸に沿ってＷ型形状に形成し、Ｗ型形状の鉛直軸部分が可倒式ポール嵌入可能に形成されている可倒式ポール用用抜け止め具、である発明を提供する。
【００１１】
このような構造を有する可倒式ポール用抜け止め具は水平方向の分力に対する対策が講じられているため、競技者が斜め方向から可倒式ポール１に接触した場合であっても可倒式ポールの埋設穴からの逸脱が著しく減少する。
【００１２】
また、競技者が可倒式ポールの至近距離を通過した場合には可倒式ポール用抜け止め具の上端側部がスキーに触れる恐れがあるため、可倒式ポール用抜け止め具の上端側部を除き、上部の形状を台形とした。
【００１３】
また、可倒式ポール用抜け止め具の撤去を容易にするために、上端部にストラップ輪を取り付ける。
【００１４】
さらに、競技中にストラップ輪が存在するとストラップ輪にスキーの先端が入る恐れがあり危険なため、ストラップ輪の内側に面ファスナを取り付け、競技中はストラップ輪が存在しないようにする。
【００１５】
【実施例】
以下、図を用いて本発明の実施例を説明する。
図３に本発明第１実施例の可倒式ポール用抜け止め具を示すが、この図において（ａ）は立面図、（ｂ）は正面図、（ｃ）は右側面図である。また、（ｄ）に示されたのは斜視図であり、（ｅ）に示されたのは可倒式ポールと組み合わせた使用態様を説明する図である。
可倒式ポール用抜け止め具１は頂点２，３，４からなり、頂点２−４間の辺５及び頂点３−４間の辺６の長さが等しい２等辺３角形形状のプラスチック製の板を頂点４とこの頂点２−３間の頂点４に対向する辺（上辺）７の中心８とを結ぶ中心線９を中心とし、中心線部分に３cm程度の直径を有する可倒式ポールを嵌入することが可能な大きさに折り曲げ線１０，１１，１２，１３で変形「Ｗ」字型に折り曲げた形状を有している。
このように形成された折り曲げ線１０と１１によって挟まれた面１５，折り曲げ線１１と１２によって挟まれた面１６及びその間の折り曲げ線１１と１２の間の面１７により（ｅ）に示されたように可倒式ポール１９の脚部２１を収納する凹部が形成されている。
また、頂点２と折り曲げ線１０によって面１４が、頂点３と折り曲げ線１２によって面１８が形成されている。
【００１６】
図４（ａ）に第１実施例の可倒式ポール用抜け止め具１と可倒式ポール１９の設置状態を、同（ｂ）に倒れた状態の可倒式ポール１９と第１実施例の可倒式ポール用抜け止め具１との関係を示す。
直径３cm長さ１.９mの円柱状外形を有するポール本体２０，スクリュー２３を有する脚部２２及び接続部２１から構成されている可倒式ポール１９は、脚部２２が可倒式ポール用抜け止め具１の面１５，面１６及び面１７によって構成された凹部に収納され、ポール本体２０及び接続部２１が図３（ｂ）に示した可倒式ポール用抜け止め具１の底辺７の上部にあるように組み合わされて雪面２４に設置される。
【００１７】
可倒式ポール用抜け止め具１と可倒式ポール１９の設置は、図１に示した従来例と同様に、初めに必要に応じて傾斜した雪面２４に鉛直な埋設穴２５を形成し、形成された埋設穴２５にスクリュー２３を利用して脚部２２を捻じ込むことにより可倒式ポール１９を設置する。次に、脚部２２が凹部に収納されるように可倒式ポール用抜け止め具１を可倒式ポール１９の雪面２４の斜面下側に設置する。
【００１８】
このようにして雪面２４に設置された可倒式ポール１９に対して斜面の上部から下部に向かって矢印２６の方向に滑走し、可倒式ポール１９の近くを通過するときに競技者が可倒式ポール１９に接触すると、可倒式ポール１９は（ｂ）に示されたように接続部２１を支点としてポール本体２０が脚部２２から薙ぎ倒される。このときに可倒式ポール本体２０にかかった力は脚部２２にも伝えられるが、脚部２２は可倒式ポール用抜け止め具１により揺動を制限されるため、可倒式ポール１９が設置位置から容易には逸脱しない。
【００１９】
また、競技者の通過する経路は多くの場合斜面の最大傾斜線に沿うのではなく、最大傾斜線と交叉している。そのため、競技者が接触した場合に可倒式ポール１９に働く力は最大傾斜線と交叉したものとなる。この状況を図５に示す。
図５（ｄ）に示されたのは、可倒式ポール１９と可倒式ポール用抜け止め具１との組み合わせに対する競技者の通過経路とそのときに可倒式ポール１９に働く力であり、経路を示す線種と力を示す線種を同じものとしてある。
この図において、実線［Ａ］で示された経路を競技者が通過した場合には可倒式ポール１９に実線［ａ］で示した力が働き、１点鎖線［Ｂ］で示された経路を競技者が通過した場合には可倒式ポール１９に１点鎖線［ｂ］で示した力が働き、破線［Ｃ］で示された経路を競技者が通過した場合には可倒式ポール１９に破線［ｃ］で示した力が働く。
【００２０】
同図（ａ）〜（ｃ）に、各々実線［ａ］，１点鎖線［ｂ］，破線［ｃ］の力が可倒式ポール１９に働いた時に、可倒式ポール用抜け止め具１から埋設穴２５に対して働く力を示す。
これらの図から明らかなように、（ａ）に示されたように力［ａ］が可倒式ポール１９に働いた時には可倒式ポール用抜け止め具１から埋設穴２５に対して面１６により［a1］の力が、面１４により［a2］の力が、面１８により［a3］の力が働き、（ｂ）に示されたように力［ｂ］が可倒式ポール１９に働いた時には可倒式ポール用抜け止め具１から埋設穴２５に対して面１８により［b1］の力が、面１５により［ｂ2］の力が働き、（ｃ）に示されたように力［ｃ］が可倒式ポール１９に働いた時には可倒式ポール用抜け止め具１から埋設穴２５に対して面１７により［c1］の力が、面１４により［c2］の力が働く。
【００２１】
このように、競技中に可倒式ポールに働くすべての力に対応することができるだけでなく、働く力を分散させることができるため、可倒式ポール１９の設置位置からの逸脱は著しく減少する。
【００２２】
本発明に係る可倒式ポール用抜け止め具１のさらなる特長を、図６及び図７により説明する。
図６に示されたのは、本発明の可倒式ポール用抜け止め具１を用いて可倒式ポール１９の設置位置からの逸脱をより完全に防止するための使用態様であり、この図に示すように本発明の可倒式ポール用抜け止め具１を可倒式ポール１９を挟んで向かい合わせに配置した場合には、軟雪等の悪条件下であっても可倒式ポール１９の設置位置からの逸脱をほぼ完全に防止することができる。
【００２３】
本発明に係る可倒式ポール用抜け止め具１は変形「Ｗ」字型に折り曲げた形状を有しているので、この可倒式ポール用抜け止め具１は図７に示されたように多数積み重ねることが可能であり、このようにすることにより、収納が極めて容易である。
【００２４】
本発明に係る可倒式ポール用抜け止め具１のさらなる実施例を、図８及び図９により説明する。
図５で説明した状況から明らかなように、競技者は可倒式ポール１９のすぐ近くをスキーを回転させながら通過するため、可倒式ポール１９の近くの雪面２４は回転するスキーにより削られてしまい、図８（ａ）に示されたように深い溝３２が形成され、可倒式ポール用抜け止め具１の１部が形成された溝３２内に露出し、滑走の障害及び可倒式ポール用抜け止め具１の破損が生じる恐れがある。なお、図８（ａ）は可倒式ポール１９及び可倒式ポール用抜け止め具１が設置された雪面２４を水平に見たものである。
【００２５】
このような事態を防止するために、図８（ｂ）に示されたように第２実施例の可倒式ポール用抜け止め具３３の形状は、上部３４の両端３５及び３６が斜めに切り落とされている。
同図（ｃ）及び（ｄ）に示されたのは第２実施例の可倒式ポール用抜け止め具３３について、図３（ｄ）及び（ｅ）に示された第１実施例の説明図と対応させたものである。
【００２６】
本発明に係る可倒式ポール用抜け止め具を雪面に設置するときにはその上部を木槌等で打ち込むことによって行われるが、このようにして設置された可倒式ポール用抜け止め具を撤去するのは手がかりがないため極めて困難である。
このような事態は、図９（ａ）に示されたように、可倒式ポール用抜け止め具３７の頂点に対向する辺の中央に布等の柔軟な材料で構成されたストラップ３８を取り付ければ、このストラップを引き上げることにより容易に対処することができる。
【００２７】
このストラップ３８は１本の紐状のものでもよいが、撤去作業をより効率的に行うためには、この図に示されたような輪状とすることが望ましい。しかし、輪状のストラップが存在すると、スキーの先端等がひっかかる恐れがあり、可倒式ポール用抜け止め具の設置位置からの逸脱、ひいては可倒式ポールの逸脱が発生する可能性がある。
このような事態を防止するために、輪状のストラップの内側に面ファスナー３９を設け、撤去作業時以外には図９（ｂ）に示されたように面ファスナー３９により固着して１枚の板状にしておき、撤去作業を行うときには同（ｃ）に示されたように面ファスナーによる固着を解除して、輪状にして撤去作業を行う。
【００２８】
なお、以上説明した実施例において、可倒式ポール用抜け止め具の基本的な形状は２等辺３角形であるとして種々の説明を行った。しかし、この他に２等辺３角形の上部２８の両端の頂点２，３を除き、基本的な形状を５角形にし、この５角形を「Ｗ」字形に形成することも可能である。
【００２９】
また、以上説明した実施例において使用している材料はプラスチックであるが、このプラスチックとしてはポリプロピレン等の他に、ガラス繊維強化プラスチック等の複合プラスチック材料、あるいは木、金属等その他の材料が使用可能である。
【図面の簡単な説明】
【図１】可倒式ポールの設置状態の説明図。
【図２】従来使用されている楔の説明図。
【図３】本発明の可倒式ポール用抜け止め具の実施例説明図。
【図４】本発明の可倒式ポール用抜け止め具の使用状態説明図。
【図５】本発明の可倒式ポール用抜け止め具を使用時に可倒式ポール用抜け止め具と可倒式ポールに働く力の説明図。
【図６】本発明の可倒式ポール用抜け止め具を用いて可倒式ポールの設置位置からの逸脱をより完全に防止するための使用態様の説明図。
【図７】本発明の可倒式ポール用抜け止め具の収納状態説明図。
【図８】本発明の可倒式ポール用抜け止め具の他の実施例説明図。
【図９】本発明の可倒式ポール用抜け止め具のさらに他の実施例説明図。
【符号の説明】
１  可倒式ポール用抜け止め具
２，３，４  頂点
５，６，７  辺
８  中心
９  中心線
１０，１１，１２，１３  折り曲げ線
１４，１５，１６，１７，１８  面
１９  可倒式ポール
２０  ポール本体
２２  脚部
２１  弾性部
２３  スクリュー
２４  雪面
２５  埋設穴
２６  滑走方向
２７  埋設穴
２８  楔
２９  前面
３０  凹部
３１  背面
３２  溝
３３，３７可倒式ポール用抜け止め具
３４  上部
３５，３６  両端
３８  ストラップ
３９  面ファスナー
【図１】
0003999293.tif 000002
【図２】
0003999293.tif 000003
【図３】
0003999293.tif 000004
【図４】
0003999293.tif 000005
【図５】
0003999293.tif 000006
【図６】
0003999293.tif 000007
【図７】
0003999293.tif 000008
【図８】
0003999293.tif 000009
【図９】
0003999293.tif 000010